(57)【要約】【課題】２４時間入浴可能な温度に維持されるように湯を循環させ、銅を用いて循環中の湯の除菌、殺菌を行い、槽内壁面にヌメリを生じさせないようにするに際し、銅の効果を最大限に発揮させるために銅繊維を用いながら、銅繊維基材の移行をなくした浴槽装置を提供する。【解決手段】本考案に係る浴槽装置は、槽内から汲上げた湯に必要な処理を施して同槽に再噴出させる２４時間風呂設備の湯の循環系内に、目の密な織布又は不織布袋に収納した銅繊維塊又は銀繊維塊を設置し、銅（又は銀）繊維基材の移行がないようにし、循環する湯の除菌、殺菌力をより高め、長期にわたってヌメリの付着がないように構成した。【選択図】図１
0003122953.tif 000002
【実用新案登録請求の範囲】
【請求項１】
槽内から汲上げた湯に必要な処理を施して同槽に再噴出させる２４時間風呂設備の湯の循環系内に、目の密な織布又は不織布袋に収納した銅繊維塊又は銀繊維塊を設置したことを特徴とする浴槽装置。
【請求項２】
前記２４時間風呂設備が、超微細気泡を発生させるバブル発生設備を備えたことを特徴とする請求項１に記載の浴槽装置。
【考案の詳細な説明】
【技術分野】
【０００１】
本考案は、２４時間入浴可能な温度に維持されるように湯を循環させ、銅を用いて循環中の湯の除菌、殺菌を行い、槽内壁面にヌメリを生じさせないようにした浴槽装置に関するものである。
【背景技術】
【０００２】
従来、循環する湯の除菌、殺菌効果を高めるための装置として、特開２００１−４７０５８号が開示され、銅繊維の除菌、殺菌効果を増大するための技術として特開２００２−２２３７３８号が開示されていた。前者は、器本体内に設置した通水部を有する銅板カートリッチに銅繊維を収容した２４時間風呂が記載されている。また、後者は、銅を繊維状にしたものは、抗菌力、殺菌力及び残留塩素除去効果が増大するとしたものである。
【特許文献１】特開２００１−４７０５８号公報
【特許文献１】特開２００２−２２３７３８号公報
【考案の開示】
【考案が解決しようとする課題】
【０００３】
しかしながら、上記特開２００１−４７０５８号公報のものは、銅板カートリッチの通水部の径は、収容銅繊維の繊維の太さに対して少なくとも数倍あり、この通水部より銅繊維の屑（銅繊維基材）が循環する湯中に移行するおそれがあった。この槽内の湯中に銅繊維基材が混入すると、２４時間風呂の循環系に使用される三方弁などの各種弁の機能に障害を与えるばかりでなく、入浴者の皮膚に刺さり、違和感を与えるなど各種の問題があった。
【０００４】
本考案は上記種々の問題を一挙に解消するためのもので、その目的とするところは、銅繊維の効果を最大限発揮させながら、銅繊維基材の移行がなく、２４時間風呂に適用して槽内壁面にヌメリを生じさせることのない浴槽装置を提供する点にある。
【課題を解決するための手段】
【０００５】
上記目的を達成するため、本考案に係る浴槽装置は、槽内から汲上げた湯に必要な処理を施して同槽に再噴出させる２４時間風呂設備の湯の循環系内に、目の密な織布又は不織布袋に収納した銅繊維塊又は銀繊維塊を設置したことを特徴とし、銅（又は銀）繊維基材の移行がないようにするとともに、循環する湯の除菌、殺菌力を高めてヌメリの付着がないように構成した。
【０００６】
また、請求項２に記載の考案に係る浴槽装置は、前記２４時間風呂設備が、超微細気泡を発生させるバブル発生設備を備えたことを特徴とし、繊維基材の移行のない銅（又は銀）繊維塊の効果と、超微細気泡（マイクロバブル）による洗浄効果とを組み合わせて一層ヌメリの付着がなくなるように構成した。
【考案の効果】
【０００７】
本考案に係る浴槽装置によれば、槽内から汲上げた湯に必要な処理を施して同槽に再噴出させる２４時間風呂設備の湯の循環系内に、目の密な織布又は不織布袋に収納した銅繊維塊又は銀繊維塊を設置したことを特徴としているので、銅（又は銀）繊維基材が不織布袋の目を通して湯中への移行がなく、したがって、２４時間風呂の循環系に使用される三方弁などの各種弁の機能に一切の障害を与えないばかりでなく、入浴者の皮膚に刺さって違和感を与えることも一切ない。また、繊維基材の湯中への移行のない銅（又は銀）の繊維塊の高い除菌及び殺菌力により、たとえば、レジオネラ属菌等、浴槽内壁面に生じるヌメリの原因を根本から確実に規制できるなど各種の優れた効果を奏するものである。
【０００８】
また、請求項２に記載の考案によれば、前記２４時間風呂設備が、超微細気泡を発生させるバブル発生設備を備えたことを特徴としているので、銅（又は銀）繊維塊の効果と超微細気泡（マイクロバブル）による洗浄効果とが組み合わさって浴槽内壁面のヌメリをより完璧に払拭できるという優れた効果を奏するものである。
【考案を実施するための最良の形態】
【０００９】
次に、本考案の実施形態を図面に基づいて説明する。図１は本願浴槽装置の略示的斜視図、図２は２４時間風呂設備及びバブル発生設備の構成の一例を示す説明図、図３は銅繊維塊を設置するケーシングの一例を示す図、図４は不織布袋に収容した銅繊維塊の斜視図である。
【００１０】
本願浴槽装置１は、図１に示す如く、浴槽２と、該槽２から汲上げた湯３に必要な処理を施して同槽２に再噴出口４より再噴出させる２４時間風呂設備５とからなる。前記本願浴槽装置１に使用する２４時間風呂設備５は、図２では、浴槽２から湯３を汲上げるためのポンプ４１と、汲上げた湯３を濾過する濾過器４２と、濾過後の湯を除菌（殺菌）する紫外線照射器４３と、除菌（殺菌）後の湯を加温するヒーター４４と、加温後の湯を更に除菌（殺菌）する電解水生成器４５及びオゾン発生器４６とを備え、前記浴槽２に戻すように構成されている。勿論、２４時間風呂設備５の構成は、上記には限定されない。
【００１１】
前記ポンプ４１には、容積型回転ポンプあるいはターボ型ポンプなどが用いられる。これらは２４時間風呂設備５の各部（濾過器４２、紫外線照射器４３、ヒーター４４、電解水生成器４５及びオゾン発生器４６）に適した流量で湯を循環させる能力を備えることは勿論である。前記ポンプ４１の入力側には、湯中の混入物、たとえば、比較的粗い髪の毛や砂等を捕捉する一次フィルター４７が備えられる。
【００１２】
前記本願浴槽装置１の循環系、たとえば、図２の一点鎖線で示した個所Ｓにケーシング６を設けるか、図３の如く、前記濾過器４２の濾過材４２′を収容する室の空部４２″をそのままケーシング６として利用し、このケーシング６内には、図４の如く、合成繊維を密に織成した織布又は不織布袋７に収納した銅（又は銀）繊維塊８を装填している。この織布又は不織布の目は、銅（又は銀）繊維の径より密であって銅（又は銀）繊維基材は移行させないが、湯は楽に通すものである。
【００１３】
前記織布又は不織布袋７に入れた銅（又は銀）繊維塊８から湯内に溶出する微量の銅又は銀は、人体にとって必要な成分であって、優れた抗菌（殺菌）性を有している。この銅又は銀の殺菌効果は、サルモネラ菌、黄色ブドウ球菌、病原性大腸菌、レジオネラ菌に対して有効であることは認められている。また、その他の菌、たとえば、チブス菌、コレラ菌に対してもほぼ同様であるとされている。
【００１４】
前記銅（又は銀）繊維塊８は、銅イオンが繊維表面に移動しているため、除菌、殺菌効果が大きく期待できる。換言すると、銅（又は銀）繊維塊に付着した微生物はその細胞壁や細胞膜を破壊し、微生物を死滅させることが判っている。
【００１５】
前記２４時間風呂設備５は、図２の如く、超微細気泡を発生させるバブル発生設備９を備えている。該バブル発生設備９は図示の場合には、前記２４時間風呂設備５のポンプ４１とは別の専用のポンプ５１を設置し、該ポンプ５１の作動で前記浴槽２内の湯３を汲上げ、バブル発生機５２で超微細気泡（マイクロバブル）化して浴槽２に再噴出させるように構成している。ここに発生する超微細気泡（マイクロバブル）は湯中の汚れの粒子に付着（吸着）して浮上させること、マイクロバブルの各泡粒子がはじけるときに発生させる超音波により人体の表皮（皮膚）に付着している油脂分を乳化させ剥離させること、毛穴より微細なマイクロバブルは狭小部に侵入しその奥の汚れを掻き出すことなど偉大な洗浄力を示すことが今までに認められている。
【実施例１】
【００１６】
いま、２４時間風呂設備５の循環系に設置されている濾過器４２の濾過材４２′を収容する室の空部をケーシング６として、０．０３ｍｍ径で５０ｇの銅繊維塊を０．１ｍｍ厚のナイロン不織布に包んで装填し、電源スイッチ（図示せず）を入れてポンプ４１を作動させて浴槽２の湯３を吸込みあげ、その湯を加圧して銅繊維塊を通して濾過器４２に送り込んで紫外線照射器４３を通した後、ヒーター４４にて当初より設定された湯温（４０°Ｃ）にして電解水生成器４５及びオゾン発生器４６を通して浴槽２内に再噴出させた。これにより浴槽２の湯３は２４時間、常に設定された温度に保たれ、随時入浴可能であることから、家族４人（５０歳代男女２人、２０歳代男女２人）が毎日１回入浴し、浴槽内壁面にヌメリが生じるか否かを毎日確認したが、２０日経過した時点までヌメリは全く生じなかった。２１日目以降についてもヌメリは生じないと思われるが、上記実験は２０日で中止した。
【００１７】
上記２０日もヌメリが生じなかったのは、循環される湯は、銅繊維塊に接触し、銅イオンの作用により微生物の細胞壁や細胞膜が破壊され、微生物中の有機物を分解させ、微生物を死滅させることからと推定できる。また、上記実験（２０日）中、銅繊維塊の繊維基材が湯中に移行しなかったことが判った。これは本願浴槽装置が実験中支障なく作動していること、及び入浴者をしてその肌に銅繊維が刺さった違和感がなかったことによる。すなわち、銅繊維塊が０．１ｍｍ厚のナイロン不織布に包まれているためである。
【実施例２】
【００１８】
実施例１と同様に０．１ｍｍ厚のナイロン不織布袋に収容されている０．０３ｍｍ径で５０ｇの銅繊維塊をバブル発生設備９を備えた２４時間風呂設備５の循環系に配し、２４時間風呂設備５とバブル発生設備９とを同時に作動し、０．５μｍ程度の超微細気泡（マイクロバブル）を浴槽２内に噴出させた。超微細気泡であることは湯３が白濁化したことにより確認した。この２４時間風呂設備とバブル発生設備との併用で、上述と同様に家族４人（５０歳代男女２人、２０代男女２人）が毎日１回入浴し、浴槽内壁面にヌメリが生じるか否かを毎日確認したが、３０日経過した時点までヌメリは全く生じなかった。
【００１９】
これは上記銅繊維塊の効果と、マイクロバブルの混入により湯中のヌメリの原因となる菌の死骸や微細なゴミや乳化された皮脂などが、バブルの付着（吸着）により浮上させられ、浴槽３の上縁よりオーバーフローして槽外に流出してしまうため、浴槽２の内壁には３０日もの間、ヌメリが付着しないことと推定できる。また、この実験（３０日）中、銅繊維塊の繊維基材が湯中に移行しなかったことが、支障なく２４時間風呂設備及びバブル発生機が作動していること、及び入浴者をしてその肌に銅繊維が刺さった違和感がなかったことによる。すなわち、銅繊維塊が０．１ｍｍ厚のナイロン不織布に包まれているためである。
【産業上の利用可能性】
【００２０】
本願浴槽装置１は、２４時間入浴可能な湯温が維持される浴槽内壁面に生ずるヌルヌル感を有効に除去できる浴槽装置であり、特に、高齢化時代において、その有効性は絶大であると考える。
【図面の簡単な説明】
【００２１】
【図１】本願浴槽装置の略示的斜視図である。
【図２】２４時間風呂及びバブル発生機の構成の一例を示す説明図である。
【図３】銅繊維塊を設置するケーシングの一例を示す図である。
【図４】不織布袋に収容した銅繊維塊の斜視図である。
【符号の説明】
【００２２】
１  本願浴槽装置
２  浴槽
３  湯
４  再噴出口
５  ２４時間風呂設備
６  ケーシング
７  織布又は不織布袋
８  銅（又は銀）繊維塊
９  バブル発生設備
４１  ポンプ
４２  濾過器
４３  紫外線照射器
４４  ヒーター
４５  電解水生成器
４６  オゾン発生器
４７  一次フィルター
５１  ポンプ
５２  バブル発生機
【図１】
0003122953.tif 000003
【図２】
0003122953.tif 000004
【図３】
0003122953.tif 000005
【図４】
0003122953.tif 000006